(57)【要約】      （修正有）【課題】液体が金属材による部材と接触して変質することのないスプレーヘッドを提供する。【解決手段】内部に軸方向に沿って、一端にノズルを形成し、他端に弾性体を嵌挿するスプレー管を設けた押圧体と、上下に仕切った内部空間の一方に突起柱を形成して該突起柱と内壁との間に弾性体収納部を形成し、他方にも柱状の挿入突起部を形成し、かつ軸方向に沿って貫通する挿入孔を形成して該スプレー管の挿入に供する固定スリーブと、内部空間を上下に仕切り、且つ内部を貫通するピストン孔を形成し、上、下部に中心部が軸方向に沿って突起して該スプレー管の底端部に当接する上当接壁と、及び下当接壁とをそれぞれ形成したピストンと、該ピストン孔に下方から挿入され、該ピストンを貫通して該スプレー管に連結する管体。【選択図】図４
0003112211.tif 000002
【実用新案登録請求の範囲】
【請求項１】
押圧体と、固定スリーブと、ピストンと、開閉弁と、連結管と、シリンダ部とを含んでなり、液体を収納する容器の上部開口に設けるスプレーヘッドであって、
該押圧体は内部に軸方向に沿ってスプレー管設け、かつ該スプレー管の上端から該押圧体の外周面に至るノズルを設け、該スプレー管の下端に弾性体を嵌挿し、
該固定スリーブは、容器の開口端に挿入する部分であって、内部空間を上下に仕切り、上部は内部の中心部に突起柱を形成して該突起柱と内壁との間に該弾性体を収納する弾性体収納部を形成し、下部は内部の中心部に柱状の挿入突起部を形成し、かつ上部の該突起柱の一端から該挿入突起部を軸方向に沿って貫通する挿入孔を形成して該スプレー管の挿入に供し、
該ピストンは、内部空間を上下に仕切り、且つ内部を貫通するピストン孔を形成するとともに、上、下部のいずれにも中心部が軸方向に沿って突起して該スプレー管の底端部に当接する上当接壁と、及び下当接壁とをそれぞれ形成し、
該連結管は、該ピストンのピストン孔に下方から挿入され、該ピストンを貫通して該スプレー管に連結する管体であって、底端には該ピストンの下当接壁に当接する鍔部を一体に形成し、
該開閉弁は、上端が該連結管内に挿入する円柱状の挿入部であって、該挿入部の下方に弁体を形成し、さらに該弁体の外周面の適宜な位置に複数の係合突起を形成し、
該シリンダ部は、該容器内に位置する吸入管に接続し、該シリンダ部内には、内壁が中心部に向かって迫出した上係合部と、下係合部とを形成して上シリンダ室と下シリンダ室を形成し、該上シリンダ室には該押圧体のスプレー管と、該ピストンと、該連結管と、該開閉弁を収納し、該下シリンダ室には該開閉弁の弁体を収納し、該弁体が上下運動をすると該シリンダ部の上係合部が該弁体に形成した係合突起に係合し、該下係合部に該弁体の底部が当接するように構成することを特徴とするスプレーヘッド。
【請求項２】
前記押圧体のスプレー管の内壁に複数の流動溝を形成することを特徴とする請求項１に記載のスプレーヘッド。
【考案の詳細な説明】
【技術分野】
【０００１】
この考案はスプレーヘッドに関し、特に乳液、香水等の液体を収納した容器に設けられるスプレーヘッドの構造に関する。
【背景技術】
【０００２】
従来のスプレーヘッドは図１に開示するように押圧体１１、スリーブ１２、ポンプ管１３、ポンプ管スリーブ１４、ベース管１５、弾性体１６、金属球１７、及びシリンダ体１８によって構成する。ポンプ管１３はスリーブ１２の適宜な個所に穿設した貫通孔１２１を貫通し、ポンプ管１３の上部は押し圧体１１に接続する。ポンプ管１３の下端の開口部にはベース管１５を接続する。該ベース管１５には外周の対向する位置に、乳液、香水などが該ベース管１５内に進入するための孔部１５１をそれぞれ穿設する。また、ベース管１５はポンプ管スリーブ１４に嵌挿し、該孔部１５１が遮蔽された状態にする。ベース管１５の底部は開口しない円盤形状にする。
【０００３】
該金属球１７は、シリンダ体１８内に収納する。該シリンダ体１８の一方の開口端は、開口端から徐々に直径が狭くなるように形成し、シリンダ体１８の他方の開口直径を金属球１７の直径より狭くする。次いで弾性体１６を金属球１７上に位置するように収納する。最後にスリーブ１２にシリンダ体１８を挿入し、シリンダ体１８の一方の開口端の外周縁をスリーブ１２の貫通孔１２１の底端縁に接続させ、かつベース管１５の底部で弾性体１６の一端を封止するとともに、シリンダ体１８の下端口に吸入管１９を接続する。
【０００４】
以上の構造によるスプレーヘッドを容器に設けて使用する場合、押圧体１１を押圧すると、容器内の空気が瞬時に押圧体１１のノズル１１１から噴出する。同時にサイホン効果によって容器内の乳液、香水などの液体が空気とともに吸入管１９からシリンダ体に進入する。この場合、弾性体１６の付勢力によってベース管１５の底部が金属球１７を押し圧し、金属球１７がシリンダ体１８の開口を塞ぐ。また、ベース管１５とポンプ管スリーブ１４との間に隙間が発生し、シリンダ体１８内の乳液、香水などの液体が該隙間からベース管１５に形成した孔部１５１からベース管１５内に進入し、更にポンプ管１３を経て乳液、香水などの液体が空気とともに押圧体１１のスプレーヘッド１１１から噴霧される。押し圧体１１の押し圧を解放すると、シリンダ体１８内の残余の乳液、香水などの液体が容器内に戻る。
【０００５】
上述する従来のスプレーヘッド１は、乳液、香水等の液体を噴出する効果を達成することができるが、構成部材の点数が多く、組立て、分解が容易でなく、経済的で実用的な効果が低減する。また、弾性体１６、金属球１７は金属在によってなり、これらをシリンダ体１８内に設けると容器内の乳液、香水などの液体が弾性体１６、金属球１７と長時間接触することになる。このため乳液、香水などの液体に化学的変化が容易に発生し、乳液、香水などの液体の変質を招くことがある。この場合、消費者に傷害を与えることがあり、また、変質した乳液、香水などの液体を廃棄する場合は希釈して回収することが容易でないため、環境に対する汚染を招く。
【考案の開示】
【考案が解決しようとする課題】
【０００６】
この考案は容器内に収納する乳液、香水などの液体が金属材による部材と接触して変質することのないスプレーヘッドを提供することを課題とする。
【０００７】
また、この考案は簡易な部材の組合せによって容器内に収納した乳液、香水等を噴出させるスプレー効果を達成するスプレーヘッドを提供することを課題とする。
【課題を解決するための手段】
【０００８】
そこで、本考案者は従来の技術に見られる欠点に鑑み鋭意研究を重ねた結果、押圧体と、固定スリーブと、ピストンと、開閉弁と、連結管と、シリンダ部とを含んでなり、液体を収納する容器の上部開口に設けるスプレーヘッド構造によって課題を解決できる点に着眼し、かかる知見に基づいて本発明を完成させた。
【０００９】
以下、この考案について具体的に説明する。
請求項１に記載するスプレーヘッドは、押圧体と、固定スリーブと、ピストンと、開閉弁と、連結管と、シリンダ部とを含んでなり、液体を収納する容器の上部開口に設けるスプレーヘッドであって、
該押圧体は内部に軸方向に沿ってスプレー管設け、かつ該スプレー管の上端から該押圧体の外周面に至るノズルを設け、該スプレー管の下端に弾性体を嵌挿し、
該固定スリーブは、容器の開口端に挿入する部分であって、内部空間を上下に仕切り、上部は内部の中心部に突起柱を形成して該突起柱と内壁との間に該弾性体を収納する弾性体収納部を形成し、下部は内部の中心部に柱状の挿入突起部を形成し、かつ上部の該突起柱の一端から該挿入突起部を軸方向に沿って貫通する挿入孔を形成して該スプレー管の挿入に供し、
該ピストンは、内部空間を上下に仕切り、且つ内部を貫通するピストン孔を形成するとともに、上、下部のいずれにも中心部が軸方向に沿って突起して該スプレー管の底端部に当接する上当接壁と、及び下当接壁とをそれぞれ形成し、
該連結管は、該ピストンのピストン孔に下方から挿入され、該ピストンを貫通して該スプレー管に連結する管体であって、底端には該ピストンの下当接壁に当接する鍔部を一体に形成し、
該開閉弁は、上端が該連結管内に挿入する円柱状の挿入部であって、該挿入部の下方に弁体を形成し、さらに該弁体の外周面の適宜な位置に複数の係合突起を形成し、
該シリンダ部は、該容器内に位置する吸入管に接続し、該シリンダ部内には、内壁が中心部に向かって迫出した上係合部と、下係合部とを形成して上シリンダ室と下シリンダ室を形成し、該上シリンダ室には該押圧体のスプレー管と、該ピストンと、該連結管と、該開閉弁を収納し、該下シリンダ室には該開閉弁の弁体を収納し、該弁体が上下運動をすると該シリンダ部の上係合部が該弁体に形成した係合突起に係合し、該下係合部に該弁体の底部が当接するように構成する。
【００１０】
請求項２に記載するスプレーヘッドは、請求項１における押圧体のスプレー管の内壁に複数の流動溝を形成する。
【考案の効果】
【００１１】
本考案のスプレーヘッドは、容器内に収納する乳液、香水などの液体が金属材による部材と接触して変質することのないため、変質した乳液、香水によって使用者に傷害を与えることなく、またこれらを廃棄することによって発生する環境汚染を防ぐことができるという利点がある。
【００１２】
また、この考案は簡易な部材の組合せによって容器内に収納した乳液、香水等を噴出させるスプレー効果を達成できるため、生産の歩止りを高め、製造コストを低減させることができるという利点がある。
【考案を実施するための最良の形態】
【００１３】
この考案は、乳液、香水などを収納した容器に設けるスプレーヘッドを提供するものであって、押圧体と、固定スリーブと、ピストンと、開閉弁と、連結管と、シリンダ部とを含んでなり、液体を収納する容器の上部開口に設けることによって、容器内に収納する乳液、香水などの液体が金属材による部材と接触して変質することを防ぐという目的を、実現した。
係る構成のスプレーヘッドについて、その構造と特徴を詳述するために具体的な実施例を挙げ、以下に説明する。
【実施例】
【００１４】
図２は、この考案によるスプレーヘッドの斜視図であって、図３は分解図である図面に開示するスプレーヘッド２は、乳液、香水などの液体を収納するビンなどの容器の口に設けて用いるものであって、押圧体２１と、固定スリーブ２３と、ピストン２４と、開閉弁２６と、連結管２５と、シリンダ部２７とを含んでなる。
【００１５】
押圧体２１内には、軸方向に沿ってスプレー管２１２を設け、スプレー管２１２の上端から押圧体２１の外周面に至るノズル２１２を設ける。スプレー管２１２の下端には弾性体２２を嵌挿する。
【００１６】
固定スリーブ２３は、スプレーヘッド２を設ける容器の開口端に挿入する部分であって、内部空間を上下に仕切り、上部は内部の中心部に突起柱を形成して該突起柱と内壁との間に弾性体２２を収納する弾性体収納部２３１を形成し、下部は内部の中心部に柱状の挿入突起部２３４を形成し、かつ上部の該突起柱の一端から該挿入突起部２３４を軸方向に沿って貫通する挿入孔２３３を形成する。該挿入孔２３３はスプレー管２１２の挿入に供する。
【００１７】
ピストン２４は、内部空間を上下に仕切り、且つ内部を貫通するピストン孔２４１を形成するとともに、上、下部のいずれにも中心部が軸方向に沿って突起して上当接壁２４２と、下当接壁２４３とをそれぞれ形成する。該上当接壁２４２はスプレー管２１２の底端部に当接する。
【００１８】
連結管２５は、ピストン２４のピストン孔２４１に下方から挿入して、ピストン２４を貫通してスプレー管２１２に連結する管体であって、底端にはピストン２４の下当接壁２４３に当接する鍔部２５１を一体に形成する。
【００１９】
開閉弁２６は、上端が連結管２５内に挿入する円柱状の挿入部２６１であって、挿入部２６１の下方に弁体２６２を形成する。また、弁体２６２の外周面の適宜な位置に複数の係合突起２６３を形成する。
【００２０】
シリンダ部２７は、スプレーヘッド１を容器に設けた場合、該容器内に位置する吸入管２８に接続する。また、シリンダ部２７内には、内壁が中心部に向かって迫出した上係合部２７１と、下係合部２７２とを形成して上シリンダ室２７３と下シリンダ室２７４を形成する。該上シリンダ室２７３には押圧体２１のスプレー管２１２、ピストン２４、連結管２５、開閉弁２６を収納し、下シリンダ室２７４には開閉弁２６の弁体２６２を収納する。よって、弁体２６２が上下運動をする場合、シリンダ部２７の上係合部２７１は弁体２６２に形成した係合突起２６３に係合し、下係合部２７２には弁体２６２の底部２６２１が当接する。
【００２１】
以上の部材を組み立ててなるスプレーヘッドは、金属材によってなる弾性体２２がシリンダ部２７内に位置しないため、容器内の乳液、香水などの液体が金属質の部材と接触することがない。したがって、従来の技術に見られるように液体が金属質の部材と接触して変質することなく、かつ簡易な部材の組合せによって液体を噴霧する効果を達成することができる。
【００２２】
また、押圧体２１のスプレー管２１２は、内壁に複数の流通溝２１３を形成して液体が円滑に流入するようにする。
【００２３】
この考案における弁体２６は、従来の技術における金属球に代わるものである。
【００２４】
図４に開示するように、この考案によるスプレーヘッド１を作用させない状態において、弾性体２２は固定スリーブ２３の弾性体収納部２３１内に位置し、押圧体２１のスプレー管２１２は弾性体２２、固定スリーブ２３、ピストン２４、及び連結管２５に接続した状態にある。シリンダ部２７は固定スリーブ２３の下方に位置し、かつ容器内に位置する吸入管２８を接続する。固定スリーブ２３は容器の開口部に嵌挿する。この場合、ピストン２４の下当接部２４３と連結管２５の鍔部２５１は緊密に接した状態となる。連結管２５と開閉弁２６は、シリンダ部２７のシリンダ室２７３内において隙間を形成する。開閉弁２６の弁体２６２はシリンダ部２７の下シリンダ室内に位置し、弁体２６２の係合突起２６３は上係合部２７１に係合する。また、乳液、香水などの液体は、容器、及び吸入管内に位置する。
【００２５】
スプレーヘッド１を作動させる場合の説明図を図５に開示する。図面に開示するように、押圧体２１を押し圧すると、スプレー管２１２に接続する連結管２５が下方に移動し、開閉弁２６を連動させる、このため、開閉弁２６の弁体２６２の底部が下方に移動してシリンダ部２７の下係合部２７２に当接する。この場合、連結管２５の底部はシリンダ部２７の上係合部２７１を遮蔽する。
【００２６】
図６に開示するように、押圧体２１の押し圧を解放すると、弾性体２２の付勢力によって押圧体２１が上方に移動し、連結管２５、開閉弁２６の減退２６２も上方に移動する。この場合、容器内の空気が圧力を受けて瞬時に上方に移動し、同時にサイホン交換によってピストン２４に吸引力が発生し、容器、及び吸入管２８内の乳液、香水などの液体を吸い上げて上シリンダ室２７３、下シリンダ室２７４内にガイドする。
【００２７】
上述する押し圧の動作を複数回反復すると、容器、及び吸入管２８内の乳液、公使などの液体が上シリンダ室２７３、下シリンダ室２７４内充満する。図７に開示するように、この状態においてさらに押圧体２１を押し圧すると圧縮力が発生し、かかる圧縮力によってピストン２４の下当接部２４３と連結管２５の鍔部２５との緊密に接した状態が解放されて隙間が形成され、形成された該隙間に乳液、香水などの液体が流入し、さらにピストン孔２４１の隙間２４１１から押圧体２１のスプレー管２１２に至り、スプレー管２１２の内壁に形成した流通溝２１３に沿ってノズル２１１に流動して噴霧される。
【００２８】
次いで、押圧体２１の押し圧を解放すると、ピストン２４の下当接部２４３と連結管２５の鍔部２５１が弾性体２２の付勢力で上方に移動して、再度緊密に接する。同時に、容器、吸入管２８内の乳液、香水などの液体が上シリンダ室２７３、下シリンダ室２７４内に吸入される。スプレーヘッドを再度使用する場合は上述の動作を反復して行う。
【００２９】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３０】
【図１】従来のスプレーヘッドの構造を示した分解図である。
【図２】この考案によるスプレーヘッドの斜視図である。
【図３】この考案によるスプレーヘッドの分解図である。
【図４】この考案によるスプレーヘッドを使用する前の初期の状態を示した断面説明図である。
【図５】この考案における押圧体を押し圧した状態を示した断面説明図である。
【図６】この考案における押圧体の押し圧を解放した状態を示した断面説明図である。
【図７】この考案における押圧体を再度押し圧した状態を示した断面説明図である。
【符号の説明】
【００３１】
１       スプレーヘッド
１１       押圧体
１１１     スプレーヘッド
１２       スリーブ
１２１     貫通孔
１３       ポンプ管
１４       ポンプ管スリーブ
１５       ベース管
１５１     孔部
１６       弾性体
１７       金属球
１８       シリンダ体
１９       吸入管
２         スプレーヘッド
２１       押圧体
２１１     ノズル
２１２     スプレー管
２１３     流通溝
２２       弾性体
２３       固定スリーブ
２３１     弾性体収納部
２３３     挿入孔
２３４     挿入突起部
２４       ピストン
２４１     ピストン孔
２４１１   隙間
２４２     上当接壁
２４３     下当接壁
２５       連結管
２５１     鍔部
２６       開閉弁
２６１     挿入部
２６２     弁体
２６２１   底部
２６３     係合突起
２７       シリンダ部
２７１     上係合部
２７２     下係合部
２７３     上シリンダ室
２７４     下シリンダ室
２８       吸入管
【図１】
0003112211.tif 000003
【図２】
0003112211.tif 000004
【図３】
0003112211.tif 000005
【図４】
0003112211.tif 000006
【図５】
0003112211.tif 000007
【図６】
0003112211.tif 000008
【図７】
0003112211.tif 000009